【事件の表示】
　平成　５年特許願第３４６３２４号「文字放送受信装置」拒絶査定に対する審判事件［平成　７年　７月２１日出願公開、特開平　７−１８４１３６］について、次のとおり審決する。
【結　論】
　本件審判の請求は、成り立たない。
【理　由】
第１　【手続きの経緯、本願発明】
　本願は、平成５年１２月２１日の出願であって、平成１４年４月３日付けの手続補正書により補正された明細書及び図面の記載からみて、その特許請求の範囲（請求項の数９）に記載された「文字放送受信装置」に関するものであるところ、その請求項１に係る発明（以下「本願発明」という。）は、次のとおりのものである。
「【請求項１】　
　文字信号が多重して伝送されるテレビジヨン信号から上記文字信号を分離復号し、当該文字信号から得られた情報をテレビジヨン受像機の画面上に表示する文字放送受信装置において、
　複数のテレビジヨンチヤンネルそれぞれについて、各テレビジヨンチヤンネルを介して伝送される上記テレビジヨン信号の番組情報を上記文字信号から抜き出す番組情報抽出手段と、
　上記番組情報抽出手段によつて抜き出された上記番組情報を記憶する番組情報記憶手段と、
　上記番組情報記憶手段から読み出した上記各テレビジヨンチヤンネルの上記番組情報を合成して番組一覧表を作成する番組表作成手段と、
　上記番組一覧表の一部又は全部を画面上に表示する表示制御手段と、
　上記画面上に表示された上記番組一覧表のうちの任意の番組を選択するポインテイング手段と、
　上記ポインテイング手段により選択された番組に対応する位置データに基づき上記番組情報記憶手段から上記番組情報を読み出し、当該番組情報から得られるチヤンネルに受信チヤンネルを切り替える選局制御手段と
　を具えることを特徴とする文字放送受信装置。」
　　　　　　　
第２　【引用例】
　１　これに対して、原査定の拒絶理由に引用された特開平５−８３６８８号公報（以下「引用例１」という。）には、「文字放送受信装置」（発明の名称）に関し、図面と共に次の（１）ないし（３）のとおりの記載がある。
（１）「【０００７】本発明は上記問題に鑑みてなされたもので、複数の放送局から送信される文字放送のうち、番組に関する番組情報を取り込み、複数の放送局の番組情報を同時に見ることのできる番組表を作成する文字放送受信装置を提供する。更に作成した番組表を基にタイマー予約を行う、またはＶＴＲ等の周辺機器を制御することの可能な文字放送受信装置を提供することを目的とする。
【０００８】
【課題を解決するための手段】本発明に係る手段は、テレビジョン放送局から送信されるテレビジョン信号を受信し、このテレビジョン信号から映像信号と文字信号とを取り出す手段と、前記文字信号を画面に表示する表示手段と、全チャンネルの文字信号の中から番組情報信号を選択し、記憶する選択手段と、番組情報信号から番組表を作成する作成手段とを具備し、前記番組表を前記表示手段を介して画面に表示する、または番組予約に使用することで文字放送受信装置で番組表より番組情報を得ることができるほか、番組予約が簡単に行える。
【０００９】
【作用】文字信号の中から番組情報を選択し、この番組情報を全チャンネルについて記憶し、番組表を作成する。これにより一度に全チャンネルの番組情報を得ることができるほか、番組表を基に予約を行うことで簡単に番組予約を行うことができる。
【００１０】
【実施例】以下、図面を参照して実施例の構成を説明する。まず、第１実施例より説明する。図１は第１実施例の構成を示すブロック図であり、図２は図１の動作を説明するフローチャートである。
【００１１】図１において、アンテナ１０で受信されたテレビジョン信号は選局部１１に供給され、希望する放送局の信号が選局される。ここで選局されたテレビジョン信号のうち、映像信号は切替混合部１２を介して受像管１３に供給され、映像が表示される。
【００１２】一方、文字信号は選局部１１でテレビジョン信号から分離され、文字信号処理部１４に供給される。文字信号処理部１４では文字データが復号され、パターンデータ及び図形データ等の映像信号に変換された後、表示メモリ１６に書き込まれる。そして表示メモリ１６からデータが読み出され、切替混合部１２を介して受像管１３で表示される。
【００１３】ところで文字信号処理部１４で処理される信号のうち、テレビ番組に関する情報は選別され、番組情報メモリ１５に書き込まれる。これが全チャンネルについて行われる。全チャンネルの番組に関する情報は番組表提示部１７に供給され、番組表が作成される。この番組表が表示メモリ１６、切替混合部１２を介して受像管に表示される。
【００１４】ここで、図２を参照して第１実施例の動作を説明する。まずＳ１０で受信が開始され、選局部１１で選局が行われ（Ｓ１１）、文字信号処理部１４で信号処理が行われる（Ｓ１２）。処理された信号のうち番組情報は選択され（Ｓ１３）、番組情報メモリ１５に書き込まれる（Ｓ１４）。以上のＳ１１〜Ｓ１４までの動作が全チャンネルについて行われ、全チャンネルについて行われた場合はＳ１６へ進み、終了していない場合はＳ１１へと戻る。Ｓ１６では番組表提示部１７で番組表が作成され、表示メモリ１６へ書き込まれる（Ｓ１７）。Ｓ１８で表示メモリ１６からデータが読み出され、Ｓ１９で番組表が受像管１３に表示される。これにより全チャンネルの番組情報を画面上で知ることができる。」（公報２欄１２行ないし３欄２３行）
（２）「【００２０】また図３に示すような番組表において、カーソルを操作して予約録画する番組を指定し、録画制御部１８を介して外部のＶＴＲを制御することも可能である。この場合は指定された番組を番組表提示部１７で識別し、指定されたチャンネル、放送時間帯等の情報を録画制御部１８に送り、外部ＶＴＲを制御するものである。以下、第３実施例の動作を図６を参照して説明する。
【００２１】図６は番組表を基に番組予約もしくは予約録画を行う動作を説明するフローチャートである。まず、受信が開始され（Ｓ１０）、番組表が作成される（Ｓ３１）。この番組表上のカーソルを移動させる、もしくは放送局及び時間が指定されることで番組が選択される（Ｓ３２）。Ｓ３３では番組予約を行う場合、Ｓ４０へ進み、予約処理を行い、Ｓ３６へと進む。また番組予約を行わない場合はＳ３４へと進む。Ｓ３４で詳細な番組情報を表示したい場合にはＳ４１へと進み、番組情報メモリ１５から詳細情報を読み出し、Ｓ４２で詳細情報を表示し、Ｓ３６へと進む。そして詳細な番組情報を必要としない場合にはＳ３５へと進む。Ｓ３５ではＶＴＲ等で予約録画を行う場合はＳ４３に進み、録画制御処理を行い、予約録画を行わない場合にはＳ３６に進む。Ｓ３６では番組表の表示を終了させるかどうかを確認し、終了させない場合はＳ３２へ戻り、終了させる場合はＳ３７に進み、他の番組を表示させる。
【００２２】このような構成及び動作にすることで番組予約及び予約録画を簡単に行えるだけでなく、放送時間や番組内容の変更に対応した番組予約及び予約録画を行うことができる。」（公報４欄１１行ないし３９行）
（３）「【００２７】更に、選局部を映像信号用と文字信号用とに分割したことで、受像管１３で通常の番組を表示しながらも全チャンネルの文字信号を受信することが可能となることから、常に新しい番組表を作成することができる。そしてタイマー部１９が番組予約に関し、選局部Ａ１１′を制御することで、見たい番組を見逃すことがなくなる。
【００２８】以上記述したように、文字放送受信装置において、全チャンネルについて番組に関する情報だけを選択し、番組表を作成する。この番組表を基に番組予約や外部ＶＴＲ等の予約録画を制御することで、予約を簡単に行うことができるほか、常時もしくは一定時間毎に番組表を作成し直すことで放送時間や番組内容の変更に対応した番組表の作成及び予約を行うことができる。また文字放送専用の選局部を設けることで、通常の番組を表示中でも全チャンネルの文字放送が受信でき、番組表を作成することができる。」（公報５欄１９行ないし３５行）
　２　同じく引用された特開昭６２−６０３７０号公報（以下「引用例２」という。）には、「テレビジョン受像機」（発明の名称）に関し、図面と共に次の（１）、（２）のとおりの記載がある。
（１）「［発明の目的］
　本発明は上記点に鑑みてなされたもので、現在放送中の番組一覧表をテレビ画面に表示し、その表示の上から所望の番組を指定操作することにより、自動的にその番組を選局して受信することができるテレビジョン受像機を提供することを目的とする。
［発明の要点］
　本発明は、画面上にタッチスイッチを配置すると共に、放送日時データ、放送局データ、番組名データを含むテレビ番組の情報を記憶する番組情報記憶手段並びに現在の日付及び時刻を計時する時計回路を設け、この時計回路の計時データと番組情報記憶手段の記憶している番組放送日時データとから現在放送中の番組を検出し、その一覧表を上記タッチスイッチに対応付けて上記画面上に表示し、上記タッチスイッチの操作により、操作されたタッチスイッチに対応する番組を自動受信するようにしたものである。」（公報２頁左上欄８行ないし同頁右上欄６行）
（２）「ＣＲＴ表示部１５の画面上には第８図に示すように、そのとき放送されている番組内容が各放送局のチャンネル番号と共に表示される。ユーザーは、ＣＲＴ表示部１５に表示された番組内容を見て、ステップＢ１２に示すように希望する番組のチャンネル番号表示部分、すなわち、タッチスイッチ１６をタッチ操作する。このタッチスイッチ１６に対するタッチ操作は、キーセンス回路１７により検出され、その検出信号がＣＰＵ１８へ送られる。ＣＰＵ１８は、キーセンス回路１７から送られてくるキーセンス信号により、どのチャンネルが指定操作されたかを判断し、ステップＢ１３に示すようにその指定チャンネルに対応するチャンネルコードをチャンネル電圧発生回路２５に出力する。このチャンネル電圧発生回路２５は、上記ＣＰＵ１８からのチャンネルコードに対応するチャンネル電圧を発生し、オートチャンネル回路１２に出力する。このオートチャンネル回路１２は、チャンネル電圧発生回路２５から与えられるチャンネル電圧に応じてチューナ１１の受信周波数を制御し、指定チャンネルの局を選択する。上記のようにしてＣＲＴ表示部１５に画面表示された番組の一覧表の中から希望する番組をタッチ指定することにより、その番組を放送中のチャンネルが選択されて画像表示される。」（公報５頁右上欄１０行ないし同頁左下欄１４行）
　　　　　　　　　　　　　　　　　　
第３　【当審の判断】
　１　［対比］
（１）引用例１には、テレビジョン放送局から送信されるテレビジョン信号を受信し、このテレビジョン信号から映像信号と文字信号とを取り出し、その文字信号を画面に表示する文字放送受信装置が記載されており（引用例１の上記（１）の記載参照）、引用例１に記載の発明も、本願発明と同様の「文字放送受信装置」を対象としているといえる。
（２）引用例１には、アンテナ１０で受信されたテレビジョン信号は選局部１１に供給され、希望する放送局の信号が選局され、ここで選局されたテレビジョン信号のうち、映像信号は切替混合部１２を介して受像管１３に供給され、映像が表示されること、そして文字信号は選局部１１でテレビジョン信号から分離され、文字信号処理部１４に供給され、全チャンネルのテレビ番組に関する情報が選別され、番組情報メモリ１５に書き込まれることが記載されており（引用例１の上記（１）の記載参照）、上記番組情報メモリ１５が、本願発明でいう「番組情報記憶手段」に相当することは明らかであり、そして上記番組情報メモリ１５には、テレビジョン信号から文字信号処理部１４にてテレビ番組に関する情報が選別されるものであるから、引用例１に記載のものも本願発明でいう「番組情報抽出手段」を有するものといえる。
（３）引用例１には、番組情報メモリ１５に書き込まれた全チャンネルの番組に関する情報は番組表提示部１７に供給され、番組表が作成されることが記載されており（引用例１の上記（１）の記載参照）、上記番組表提示部１７が、本願発明でいう「番組表作成手段」に相当するといえる。
（４）引用例１には、番組表が表示メモリ１６、切替混合部１２を介して受像管に表示されることが記載されており（引用例１の上記（１）の記載参照）、引用例１に記載のものも本願発明でいう「表示制御手段」を有することは明らかである。
（５）ポインティング手段とは、画面上の任意の座標位置を入力するための手段で、ウィンドウシステムやゲームなどのGUIで広く利用されており、マウスが代表的な存在だが、他にもペンやトラックボール、トラックパッド、タブレットなどがあることは、当業者に自明の事項である。
　引用例１には、受像管に表示される番組表上でカーソルを移動させることで番組が選択され、番組予約を簡単に行えることが記載されており（引用例１の上記（２）の記載参照）、そのようなカーソルの移動による選択指示が、本願発明でいう「ポインテイング手段」といえることも明らかである（このような「ポインテイング手段」自体は、例えば、原査定の拒絶理由で示した引用例５の特開平５−２３６４３７公報にも記載されているように周知である。）。
（６）引用例１には、番組表上のカーソルを移動させ、番組が選択され番組予約が行われること（引用例１の上記（２）の記載参照）、またタイマー部が番組予約に関し、選局部を制御することで、見たい番組を見逃すことがなくなること（引用例１の上記（３）の記載参照）、すなわち受信チャンネルを切り替えることが示されており、これらの記載によれば引用例１に記載の発明も、番組を直接選択するものが現在放送中のものか否かは別として、本願発明と同様「上記ポインテイング手段により選択された番組に対応する位置データに基づき」、「受信チヤンネルを切り替える選局制御手段」を有するものといえる。　　　
　　　　　　　　　　　　　　　
　２　［一致点］・［相違点］
　以上の点（１）ないし（６）を踏まえると、本願発明と引用例１に記載された発明とは、
「文字信号が多重して伝送されるテレビジヨン信号から上記文字信号を分離復号し、当該文字信号から得られた情報をテレビジヨン受像機の画面上に表示する文字放送受信装置において、
　複数のテレビジヨンチヤンネルそれぞれについて、各テレビジヨンチヤンネルを介して伝送される上記テレビジヨン信号の番組情報を上記文字信号から抜き出す番組情報抽出手段と、
　上記番組情報抽出手段によつて抜き出された上記番組情報を記憶する番組情報記憶手段と、
　上記番組情報記憶手段から読み出した上記各テレビジヨンチヤンネルの上記番組情報を合成して番組一覧表を作成する番組表作成手段と、
　上記番組一覧表の一部又は全部を画面上に表示する表示制御手段と、
　上記画面上に表示された上記番組一覧表のうちの任意の番組を選択するポインテイング手段と、
　上記ポインテイング手段により選択された番組に対応する位置データに基づき受信チヤンネルを切り替える選局制御手段と
　を具えることを特徴とする文字放送受信装置。」である点で一致し、次の点で相違する。　
　選局制御手段が、本願発明では、ポインテイング手段により選択された番組に対応する位置データに基づき「上記番組情報記憶手段から上記番組情報を読み出し、当該番組情報から得られるチヤンネルに」受信チヤンネルを切り替えるものであるのに対して、引用例１に記載の発明では、番組表上のカーソル移動に基づいて、タイマー部を介して選局部を制御するものであり、現在放送中の番組を直接選択するものではなく、またカーソルの移動に基づいて番組情報メモリから番組情報を読み出し、番組情報から得られるチャンネルに受信チャンネルを切り替えることは明記されていない点。　　　
　　　　　　　　　　　　　　
　３　［相違点の検討］　　　
　引用例２には、テレビジョン受像機において、現在放送中の番組一覧表をテレビ画面上に表示し、その表示の上からタッチスイッチ（本願発明の「ポインテイング手段」に相当）を用いて所望の番組をタッチ指定することにより、自動的にその番組のチャンネルを直接選局して受信することが記載されており（引用例２の上記（１）、（２）の記載参照）、引用例１に記載の文字放送受信装置において、番組表上のカーソル移動に基づいて、タイマー部を介して選局部を制御する代わりに、引用例２に記載のように番組一覧表からタッチスイッチ（ポインテイング手段）により所望の番組をタッチ指定することにより、指定した番組のチャンネルを直接選局するように受信チャンネルを切り替える程度のことは当業者が適宜になし得ることである。
　そして、その際、受信チャンネルを切り替えるためのチャンネルを、選択された番組に対応する位置データに基づき番組情報メモリから番組情報を読み出し、当該番組情報から得るようになすことも、番組情報メモリ自体が、チャンネルなどの番組情報を記憶していることは明らかであるから格別のものとはいえない。
　すなわち、引用例１に記載の文字放送受信装置において、選局制御手段が、本願発明のように、ポインテイング手段により選択された番組に対応する位置データに基づき「上記番組情報記憶手段から上記番組情報を読み出し、当該番組情報から得られるチヤンネルに」受信チヤンネルを切り替えるようになす程度のことは、引用例２の技術を参酌すれば、当業者が適宜になし得ることといえる。
　そして、本願発明の構成に基づく効果についてみても格別顕著なものがあるとはいえない。　　
　　　　　　　　　　　　　　　　　　　　
第４　【むすび】
　したがって、本願発明は、引用例１及び２に記載された発明に基づいて当業者が容易に発明をすることができたものであるから、特許法第２９条第２項の規定により特許を受けることができない。
　それ故、他の請求項２ないし９に係る発明について、検討するまでもなく、本願は拒絶すべきものである。
　よって、結論のとおり審決する。